(57)【要約】      （修正有）【課題】ベッド等の支持面に患者を拘束する拘束ハーネスを提供する。【解決手段】ベッド等に固定されるベッドストラップ４４と、腰ストラップ４０とを備える拘束ベルト３８が患者に着けられ、拘束ハーネス１０は、患者の長手方向に配置され、かつ、腰ストラップと交差するように背中に配置されるストラップ中央部１２と、腰ストラップからの患者の上方又は下方へのスライドを防止する上拘束部材２６及び下拘束部材と、ストラップ中央部に取り付けられる上体ストラップ１４とを備え、上拘束部材及び下拘束部材は、それぞれストラップ中央部の上端又は下端に接続され、上半身の前側に案内される未結合の端部３４、２２を有し、上体ストラップは腰ストラップより上で上半身周りを案内され、２つの未結合の端部１６を有し、上拘束部材および下拘束部材の未結合の端部と、上体ストラップの２つの未結合の端部は互いに取り付ける留め手段を有する構成とする。【選択図】図１
2014111125.tif 000002
【特許請求の範囲】
【請求項１】
ベッドまたはなにか他の支持面に患者を拘束する拘束ハーネス（１０）であって、
ベッドまたは他の支持表面に取り付けられるベッドストラップ（４４）と患者の腰に巻かれる腰ストラップ（４０）とを備える拘束ベルト（３８）が患者に着けられ、
前記拘束ハーネス（１０）は、
患者に沿って長手方向に配置され、かつ、前記拘束ベルト（３８）の前記腰ストラップ（４０）と交差するように患者の背中に配置されるストラップ中央部（１２）と、
患者が前記腰ストラップ（４０）から上方へスライドするのを防止する上拘束部材（２６）と、
患者が前記腰ストラップ（４０）から下方へスライドするのを防止する下拘束部材と、
前記ストラップ中央部（１２）に取り付けられる上体ストラップ（１４）とを備え、
前記上拘束部材（２６）は前記ストラップ中央部（１２）の上端に取り付けられ、患者の上半身の前側に案内される未結合の端部（３４）を有し、
前記下拘束部材は前記ストラップ中央部（１２）の下端に取り付けられ、患者の上半身の前側に案内される未結合の端部（２２）を有し、
前記上体ストラップ（１４）は前記腰ストラップ（４０）より上で患者の上半身周りを案内され、２つの未結合の端部（１６）を有し、
前記上拘束部材（２６）の前記未結合の端部（３４）および前記下拘束部材の前記未結合の端部（２２）は、これら２つの未結合の端部（２２、３４）を互いに取り付ける留め手段を有し、
前記上体ストラップ（１４）の前記２つの未結合の端部（１６）は、前記上拘束部材および／または前記下拘束部材に当該端部を取り付ける留め手段を有する。
【請求項２】
請求項１の拘束ハーネス（１０）において、
前記上体ストラップ（１４）の前記２つの未結合の端部（１６）が取り付けられると共に、前記上拘束部材（２６）の未結合の端部（３４）と前記下拘束部材の前記未結合の端部（２２）との接続が確立する単一の磁気ロックを前記留め手段が有する
ことを特徴とする。
【請求項３】
請求項１または２の拘束ハーネス（１０）において、
前記上拘束部材（２６）の前記未結合の端部（３４）、または、前記下拘束部材の未結合の端部（２２）に、前記留め手段はリング（２４）を有し、前記リング（２４）にこれら２つの未結合の端部（２２、３４）のもう一方が挿入され、
前記留め手段は、他の未結合の端部（２２、３４）に複数の孔を有する
ことを特徴とする。
【請求項４】
請求項３の拘束ハーネス（１０）において、
前記リング（２４）が下拘束部材の未結合の端部（２２）に形成されている
ことを特徴とする。
【請求項５】
請求項４の拘束ハーネス（１０）において、
患者の首と前記リング（２４）が使用中に位置する位置との間の部分において、患者の胸部上に、前記上拘束部材（２６）の前記未結合の端部（３４）は、磁気ロックの基部を保持する単一の孔を有する
ことを特徴とする。
【請求項６】
請求項１から５のいずれかの拘束ハーネス（１０）において、
前記拘束ハーネス（１０）は、前記拘束ベルト（３８）に当該拘束ハーネス（１０）を固定する留め手段を有する
ことを特徴とする。
【請求項７】
請求項６の拘束ハーネス（１０）において、
前記拘束ハーネス（１０）を固定する前記留め手段は前記ストラップ中央部（１２）に位置する
ことを特徴とする。
【請求項８】
請求項６または７の拘束ハーネス（１０）において、
前記拘束ハーネス（１０）を固定する前記留め手段は、前記上体ストラップ（１４）の部分により形成され、前記部分は前記拘束ベルト（３８）のループ（５２）に挿入される
ことを特徴とする。
【請求項９】
請求項１から８のいずれかの拘束ハーネス（１０）において、
前記拘束ハーネスは複数の上体ストラップを有し、前記上体ストラップはストラップ中央部（１２）に互いに間隔を置いて取り付けられる
ことを特徴とする。
【請求項１０】
請求項１から９のいずれかの拘束ハーネス（１０）において、
前記ストラップ中央部（１２）は、上体ストラップを固定するために異なる高さで配置された複数のループを有する
ことを特徴とする。
【請求項１１】
請求項１から１０のいずれかの拘束ハーネス（１０）において、
前記上拘束部材（２６）は患者の肩にかぶって案内される２つの肩ストラップを有し、前記肩ストラップは、患者の上半身の前側で未結合の端部（３４）に取り付けられる
ことを特徴とする。
【請求項１２】
請求項１から１１のいずれかの拘束ハーネス（１０）において、
前記上拘束部材（２６）は、患者の頭からかぶって着けられる襟ループ（２８）を有する
ことを特徴とする。
【請求項１３】
請求項１から１２のいずれかの拘束ハーネス（１０）において、
前記下拘束部材は股ストラップ（１８）であることを特徴とする。
【請求項１４】
請求項１から１２のいずれかの拘束ハーネス（１０）において、
前記下拘束部材は２つの大腿部バンドを有し、それぞれが第１ストラップにより前記ストラップ中央部に接続され、第２ストラップにより前記下拘束部材の未結合の端部に接続される
ことを特徴とする。
【請求項１５】
請求項１から１４のいずれかの拘束ハーネス（１０）が拘束ベルト（３８）を有し、
前記拘束ベルト（３８）は、
前記ベッドまたは他の支持面に固定するベッドストラップ（４４）と、
患者の腰に巻きつけるように構成された腰ストラップ（４０）と
を備える。
【請求項１６】
請求項１５の拘束ハーネス（１０）において、
前記拘束ハーネス（１０）は前記拘束ベルト（３８）に分離不可能に取り付けられていることを特徴とする。
【発明の詳細な説明】
【技術分野】
【０００１】
本発明はベッドまたはなにか他の支持面に患者を拘束する拘束ハーネスに関し、拘束ベルトが患者に縛りつけられる。
【背景技術】
【０００２】
拘束ベルトは、ベッドストラップと腰ストラップとを備える。ベッドストラップはベッドまたは他の支持表面に取り付けられ、腰ストラップは患者の腰周りに巻かれる。拘束ベルトは、特別な拘束ハーネスにより、有用な方法で強化される。
【０００３】
ベッドストラップおよび腰ストラップを備える拘束ベルトは、従来技術において長く周知である。腰ストラップによりなされる拘束に加えて、患者の動く自由をさらに制限する必要がよくある。特に、患者が転がり過ぎてベッドの外へ一部落ちるのを防止し、また、患者が腰ストラップから上方または下方へスライドするのを防止するのによく必要である。
【０００４】
実用新案ＤＥ２０３１７７０１Ｕ１は、ベッドストラップおよび腰ストラップを備える拘束ハーネスを開示しており、肩および股ストラップが追加されている。肩ストラップは、患者が腰ストラップから上方へスライドするのを防止する。股ストラップは、患者が腰ストラップから下方へスライドするのを防止する。周知の構成において、肩ストラップの未結合の端部と股ストラップの未結合の端部とが互いに別々に拘束ハーネスの腰ストラップに固定される。したがって、肩ストラップおよび股ストラップを有する周知の拘束ハーネスを適切に着ける方法は、比較的扱いにくい。特に、このタイプの拘束ハーネスを用いるスタッフが過度に働かされている場合、拘束ハーネスの取り付けにおいて、間違いまたは失敗が起きるかもしれず、場合によっては患者が危険な事態となる。
【発明の概要】
【発明が解決しようとする課題】
【０００５】
上述したことを考慮して、本発明の目的は、従来の拘束ベルトとの組み合わせで用いられる拘束ハーネスであり、患者が腰ストラップから上方または下方へスライドするのを確実に防止し、特に取り付けが容易で、誤った使用の結果での患者への危険を最小限にする拘束ハーネスを提供することである。
【課題を解決するための手段】
【０００６】
この目的は請求項１の特徴を有する拘束ハーネスにより達成される。有益な実施態様が以降の従属項に示されている。
【０００７】
拘束ハーネスは、ベッドまたはなにか他の支持面に患者を拘束するのに用いられる。ベッドまたは他の支持表面に固定されるベッドストラップと患者の腰に巻かれる腰ストラップとを備える拘束ベルトが患者に着けられる。前記拘束ハーネスは、患者に沿って長手方向に配置され、かつ、前記拘束ベルトの前記腰ストラップと交差するように患者の背中に配置されるストラップ中央部と、患者が前記腰ストラップから上方へスライドするのを防止する上拘束部材と、患者が前記腰ストラップから下方へスライドするのを防止する下拘束部材と、前記ストラップ中央部に取り付けられる上体ストラップとを備え、前記上拘束部材は前記ストラップ中央部の上端に接続され、患者の上半身の前側に案内される未結合の端部を有し、前記下拘束部材は前記ストラップ中央部の下端に接続され、患者の上半身の前側に案内される未結合の端部を有し、前記上体ストラップは前記腰ストラップより上で患者の上半身周りを案内され、２つの未結合の端部を有し、前記上拘束部材の前記未結合の端部および前記下拘束部材の前記未結合の端部は、これら２つの未結合の端部を互いに取り付ける留め手段を有し、前記上体ストラップの前記２つの未結合の端部は、前記上拘束部材および／または前記下拘束部材に当該端部を取り付ける留め手段を有する。
【０００８】
上拘束部材および下拘束部材はストラップ中央部に取り付けられる。それらは、それぞれ、ストラップ中央部に取り付けられる固定端を有するか、または、それらはストラップ中央部と一体的に実現されている。この結果、拘束ハーネスが拘束ベルトに留められているかどうかに関係なく、２つの拘束部材のうちの１つに及ぼす力がそれぞれ他の拘束部材へ直接導入される。この部材が下拘束部材の中に深くスライドすると、ストラップ中央部を介して直接接続されているので、それとともに下方へ移動し、特に患者の首に達するのを防止するので、特に、上拘束部材による患者の安全性へのいかなる危険性も、このことにより防止される。
【０００９】
さらに、中央ストラップ部を介しての上および下拘束部材の接続は、従来の拘束ベルトとの組み合わせにおいて、拘束ハーネスの使用を容易にする。この目的のために、ストラップ中央部を拘束ベルトの腰ストラップの下方または上部に、特に、腰ストラップと当該ベルトの下に配置されたベッドストラップとの間に、拘束ハーネスを特に容易に配置することができる。
【００１０】
上拘束部材および下拘束部材は、それぞれ未結合の端部を有し、とりわけ、それぞれが単一の未結合の端部、すなわち、まさに１つの未結合の端部を有する。未結合の端部は、ストラップ中央部に取り付けられる端部から離れている関連した拘束部材のその部分に関連し、その関連した拘束部材は、拘束ベルトが使用されている際に、実質的に患者の上半身の前面に位置している。未結合の端部は、拘束部材の関連する端点に関連するだけでなく、特定の長さ、例えば、２０ｃｍから６０ｃｍ以上にわたる長さを有する部分に関連する。
【００１１】
また、ストラップ中央部に上体ストラップが取り付けられる。このストラップは腰ストラップより上で患者の上半身の周りに巻かれ、この目的のために設けられた留め手段を用いてその２つの未結合の端部を取り付けることにより、上および／または下拘束部材に取り付けられる。この場合も、用語「未結合の端部」は、特定の長さを有するストラップ部に関連する。上体ストラップの未結合の端部を留める手段は、例えば、磁気ロックの基部に配置された孔でもよい。上および／または下拘束部材において基部のディスクを保持する溝を任意に有し、この目的のために設けられた孔に磁気ロックの基部が嵌め込まれる。上体ストラップの２つの未結合の端部はこの基部上に配置される。この場合、上体ストラップを固定するために１つの磁気ロックだけが必要である。
【００１２】
上体ストラップが分離不可能にストラップ中央部に、特に、縫い付けることで取り付けられる。特に、ストラップ中央部のループに上体ストラップを挿入することにより、または、上体ストラップのループにストラップ中央部を挿入することにより、分離可能な取り付けも可能である。これにより、上体ストラップの取り換えが容易になる。
【００１３】
上体ストラップの好ましい配置は、上拘束部材の正確な取り付けを確実にする。不快または危険な状態となりえる、上拘束部材またはそれらの一部が患者の肩から取り外されるのを、特に、上体ストラップが防止する。
【００１４】
本発明において、上拘束部材の未結合の端部および下拘束部材の未結合の端部は、当該端部を互いに取り付ける留め手段を有する。留め手段は、例えば、２つの未結合の端部に配置される複数の孔を有している。これらの留め部材により、例えば、特に、磁気ロックのピンを、２つの未結合の端部のそれぞれで孔の１つに挿入することで、定められた２つの未結合の端部が互いに直接取り付けられる。かくして、この単一の接続ができることで、ストラップ中央部、上拘束部材および下拘束部材から構成される閉じたリングが形成される。したがって、閉じたリングは、拘束ハーネスそのものの部材からだけで成る。拘束ベルトとは独立して、特に腰ストラップとは独立してそれを開閉できる。したがって、拘束ハーネスを特に容易に取り付けることができる。とりわけ、まず、従来の方法で腰ストラップを固定し、その後に、拘束ハーネスを固定することができる。拘束ハーネスの適合とは独立して腰ストラップの適合を調節することもでき、例えば、この目的のために拘束ハーネスを開けることなく、後で腰ストラップをきつく締めたり緩めたりできる。これは非協力的な患者とでさえも可能である。その理由は、拘束ハーネスにもたらされるいかなる力も腰ストラップのない拘束ハーネスに吸収することができ、腰ストラップを再固定することを妨げないからである。
【００１５】
特に留め手段が固定される時に、上拘束部材および下拘束部材が同時に患者の体の大きさに調節されるのは特に有益である。２つの拘束部材の長さを調節することにより正確に同じ位置に患者を保持することが確実にされるので、過度に緩められた拘束ハーネスの固定がそれによって容易に防止される。対照的に、従来技術において周知の拘束ベルトでは、腰ストラップの上で肩ストラップの未結合の端部を固定する間に患者は第１位置において比較的上方へ位置することができるが、股ストラップが固定される時までにベッドにおいていくらか下方にスライドしなければいけない。この結果、拘束部材により形成されたリングが、場合によっては大きすぎることになる。
【００１６】
１実施態様によれば、前記上体ストラップの前記２つの未結合の端部が取り付けられると共に、前記上拘束部材の未結合の端部と前記下拘束部材の前記未結合の端部との接続が固定される単一の磁気ロックを前記留め手段が有する。磁気ロックはディスクとピンとを有する基部を備える。４つ全ての未結合の端部の孔にピンが挿入される。この場合、基部のディスクは最下部の未結合の端部の孔の下方に位置することができ、溝を形成するストラップ部分により適所に保持される。係止ボタンを最上部の未結合の端部の孔から突出するピンの端部に配置することができ、磁気キーによってのみ開けて再び基部から取り外すことができる。これにより、４つ全ての未結合の端部の互いとの取り付けを単一点で確立または固定することができる。この目的のために単一の磁気ロックの使用は、１つの磁気ロックだけが必要なので材料の節減を実現すると同時に、拘束ハーネスの取り付けをさらに単純にする。
【００１７】
１実施態様によれば、前記上拘束部材の前記未結合の端部、または、前記下拘束部材の未結合の端部に、前記留め手段はリングを備え、前記リングにこれら２つの未結合の端部のもう一方が挿入され、前記留め手段は、他の未結合の端部に複数の孔を有する。このように、上および下拘束部材の未結合の端部間の接続を確立するために、孔を有する未結合の端部がもう一方の未結合の端部に位置するリングに挿入される。接続は孔により固定され、孔を有する未結合の端部はリングに挿入されるループを形成する。
【００１８】
孔を有する未結合の端部を固定するために、磁気ロックを再び使用してもよい。上述した実施態様と同様に、上体ストラップの２つの未結合の端部を固定するのに同じ磁気ロックを使用してもよい。
【００１９】
リングは金属リングでもよく、および／または形状において矩形でもよい。リングを使用することにより、いくつかの効果が提供される。一例として、１つの未結合の端部がリングに挿入されると、拘束ハーネスの正確な長さへ調節するのに、この１つの未結合の端部を取り扱うことのみ必要であるので、取り扱いが容易になる。他の例として、孔を有する未結合の端部のループ形状の構成は、固定用に用いられる磁気ロックの負荷において、かなり減少する結果となる。これは、２つの未結合の端部が磁気ロックで反対方向から接続される場合よりも、孔を有する未結合の端部のリングを通しての迂回が磁気ロックに及ぼされる張力の負荷をかなり減少させる結果となるからである。
【００２０】
１実施態様によれば、前記リングが下拘束部材の未結合の端部に形成されている。この場合、上拘束部材の未結合の端部が孔を有し、患者の胸部の前側で固定される。この場合、特に、同時に同じ位置で上体ストラップの未結合の端部を留めることが、とくに有益である。
【００２１】
１実施態様によれば、患者の首と前記リングが使用中に位置する位置との間の部分において、患者の胸部上に、前記上拘束部材の前記未結合の端部は、磁気ロックの基部を保持する単一の孔を有する。孔の下方に、溝が配置されてもよく、溝は磁気ロックの基部のディスクを保持する。単一の孔が患者の肩の高さに、特に胸骨より上にほぼ位置する。この場合、上体ストラップができるだけ上方に取り付けられることは、単に、単一の孔の位置により確実にされる。これにより、患者は、腕が上体ストラップに入り込むもしくは上拘束部材を完全にまたは部分的に外すことから特に確実に防止される。
【００２２】
１実施態様によれば、前記拘束ハーネスは、前記拘束ベルトに当該拘束ハーネスを固定する留め手段を有する。拘束ベルト、すなわち、ベッドストラップまたは腰ストラップのいずれかに固定することは、拘束ハーネスが所望の効果を発生させるために、一般に必要である。原則として、この固定は、拘束ベルトおよび拘束ハーネス間の、特に縫い付けによる永続的な接続により達成される。例えば、拘束ハーネスのストラップ中央部が腰ストラップまたは拘束ベルトのベッドストラップに縫い付けられる。この場合、従来の拘束ベルトは拘束ハーネスと組み合わせることができる。腰ストラップがベッドストラップ上を横に回転できるために、特に、はさみ構成で配置されるストラップにより腰ストラップがベッドストラップに留められている拘束ベルトの場合、腰ストラップへの拘束ハーネスの固定は、回転の可能性がこれにより維持されるので、有益である。拘束ハーネスのストラップ中央部をベッドストラップと腰ストラップとの間に配置してもよいし、これらの層の３つ全てを互いに安全に、特に縫い付けにより接続してもよい。しかしながら、拘束ハーネスに設けられた留め手段の使用は、従来の拘束ベルトの改造を容易にする。
【００２３】
１実施態様によれば、前記拘束ハーネスを固定する前記留め手段は前記ストラップ中央部に位置する。これらの留め手段は、特に、フックおよびループファスナでもよく、例えば、ストラップ中央部に縫い付けられたフックテープまたはループテープである。嵌合部分、すなわち、ループまたはフックテープは、特に腰ストラップの下側で、所望の拘束ベルト上に配置される。
【００２４】
１実施態様によれば、前記拘束ハーネスを固定する前記留め手段は、前記上体ストラップの部分により形成され、前記部分は前記拘束ベルトのループに挿入される。拘束ベルトに拘束ハーネスを固定するために、拘束ベルトの適当なループに上体ストラップの２つの未結合の端部を挿入することだけが必要である。対応して形成された拘束ベルトと結合される際、これは、特に単に固定する選択肢を示す。
【００２５】
１実施態様によれば、前記拘束ハーネスは複数の上体ストラップを有し、前記上体ストラップはストラップ中央部に互いに間隔を置いて取り付けられる。各上体ストラップは２つの未結合の端部を有し、未結合の端部は上体ストラップとの接続において既に詳細に述べたように、当該端部を上拘束部材および／または下拘束部材へ取り付ける留め手段を有する。複数の上体ストラップを使うことで、上拘束部材を特に安全に取り付けることができる。上述したように、拘束ハーネスを拘束ベルトに固定するために、上体ストラップの１つが拘束ベルトのループに挿入されると、追加された上体ストラップはさらに上、特に患者の肩のちょうど下で、取り付けられ、これによって、上拘束部材が取り外されるのを効果的に防ぐ。
【００２６】
１実施態様によれば、前記ストラップ中央部は、上体ストラップを固定するために異なる高さで配置された複数のループを有する。ループにより固定される上体ストラップは、ほぼこの高さに配置されたループに挿入されることで、常に最適な高さで取り付けられる。複数の上体ストラップが用いられる場合、上体ストラップの１つが分離不可能にストラップ中央部に取り付けられ、その一方で、他のストラップがストラップ中央部のループの１つに固定される。同様に最適な高さへ調節できるように、関連した上体ストラップの未結合の端部が、異なる高さで上または下拘束部材の未結合の端部に取り付けられる。これは、特に、磁気ロック用の複数の容器がそこに設けられているからである。これにより、上体ストラップまたは追加された上体ストラップの高さを患者の後側および前側で個々に選択することができる。
【００２７】
１実施態様によれば、前記上拘束部材は患者の肩にかぶって案内される２つの肩ストラップを有し、前記肩ストラップは、患者の上半身の前側で未結合の端部に取り付けられる。特に、２つの肩ストラップは、互いにおよび／または他のストラップ部に縫い付けられ、それらがそれ自体または追加されたストラップ部に関連して未結合の端部を形成する。患者の背中で、２つの肩ストラップはＨの形状になる、すなわち、実質的に平行に延びて交差接続する部分により互いに接続される。患者の背中で、Ｘ形状の、つまり、交差する配置が可能である。このタイプの肩ストラップにより、患者の信頼性の高い拘束が達成される。１つの肩ストラップが上拘束部材として用いられる場合、上体ストラップの未結合の端部は、それぞれ肩ストラップに固定することができる。磁気ロックの基部用の２つ以上の容器が、この目的のために上体ストラップの未結合の端部に形成されてもよい。
【００２８】
１実施態様によれば、前記上拘束部材は、患者の頭からかぶって引き出される襟ループを有する。襟ループは、患者の首の２側面に位置する２つのストラップ部から形成される。背中に位置するこれらのストラップ部の端部は、別々の接続部品により任意に、互いに取り付けられ、特に一緒に縫い付けられる。それらはストラップ中央部に安全に固定される。患者の胸部で、２つのストラップ部が、任意でさらなる接続部品により、同様に互いに取り付けられる。さらに、それらは上拘束部材の未結合の端部に接続または上拘束部材の未結合の端部を形成する。このような襟ループは、比較的患者の首の近くに横に延びて肩の側方に取り外すことができず、場合によっては肩ストラップで可能である。したがって、これは拘束の特に安全な形を示す。同時に、それにより、患者の肩および腕の運動の最大限の自由度がもたらされる。
【００２９】
１実施態様によれば、前記下拘束部材は股ストラップである。このような股ストラップは、患者の足の間に通される。それは、患者が腰ストラップから下方へスライドするのを確実に防止する。
【００３０】
１実施態様によれば、前記下拘束部材は２つの大腿部バンドを有し、それぞれが第１ストラップにより前記ストラップ中央部に取り付けられ、第２ストラップにより前記下拘束部材の未結合の端部に取り付けられる。２つの第２ストラップは、大腿部バンドから離れたそれらの端部で一緒に縫い付けられ、それにより、下拘束部材の未結合の端部を形成することがわかる。このような大腿部バンドは、同様に、患者が腰ストラップから下方へスライドすることができないことを確実にする。同時に、それらは股ストラップよりもかなり快適な着用感を提供することができる。
【００３１】
１実施態様によれば、拘束ハーネスは拘束ベルトと結合し、前記拘束ベルトは、前記ベッドまたは他の支持面に固定するベッドストラップと、患者の腰に巻きつけるように構成された腰ストラップとを有する。
【００３２】
１実施態様によれば、前記拘束ハーネスは前記拘束ベルトに分離不可能に、特に縫い付けまたは接着により、取り付けられる。特に、拘束ハーネスのストラップ中央部は腰ストラップまたは拘束ベルトのベッドストラップに取り付けられる。腰ストラップまたはベッドストラップのループによる分離可能な取り付けと比較して、この解決策は上体ストラップおよび拘束ベルト間で自由に選択できる間隔の有益さを提供する。
【００３３】
以下に、本発明は一連の図面において例示される実施例に関してより詳細に述べられる。図面は以下を示す。
【図面の簡単な説明】
【００３４】
【図１】広げた配置での発明に係る拘束ハーネス。
【図２】閉じた状態における図１の拘束ハーネス。
【図３】拘束ベルトとの組み合わせにおける広げた配置での図１の拘束ハーネス。
【図４】閉じた状態における図３の拘束ハーネスおよび拘束ベルト。
【発明を実施するための形態】
【実施例】
【００３５】
図１の拘束ハーネス１０は、その中央部に、ストラップ中央部１２を有する。その中央部は、拘束ハーネスが用いられる際に患者の背中に位置する。当該ストラップが後方に沿って長手方向に延び、拘束ベルト３８の腰ストラップ４０と交差する（図３および４を参照）。
【００３６】
上体ストラップ１４は、ストラップ中央部１２に付けられている。ここに示される実施例において、上体ストラップ１４の中央部はストラップ中央部１２の中央部に縫い付けられる。上体ストラップ１４はストラップ中央部１２に対して直角に配置されている。上体ストラップ１４は２つの未結合の端部１６を有する。未結合の端部１６は、それぞれ、互いに均一に間隔を置いて配置された複数の孔を有している。
【００３７】
ストラップ中央部１２の下端、すなわち、患者の足の方を向く端は、股ストラップ１８に取り付けられ、一体化された構成の場合、当該股ストラップ１８へ推移する。股ストラップ１８は、患者の股に配置されるパッド２０を有する。股ストラップ１８は、金属製の矩形のリング２４が取り付けられた未結合の端部２２も有する。
【００３８】
襟ループ２８を有する上拘束部材２６は、ストラップ中央部１２の上端、すなわち、患者の頭の方を向く端に取り付けられる。襟ループ２８は２つの隣接ストラップ部３０を有し、それらは患者の首の２側面に配置され、パッドが入れられて、閉リングを形成する。図１において左側に示されるこれらのストラップ部３０の端部は、ストラップ中央部１２の上端に縫い付けられることで接続される。図１において右側に示される２つのストラップ部３０の端部は、上拘束部材２６の未結合の端部３４を形成するさらなるストラップ部３２と互いに同様に取り付けられる。上拘束部材２６の未結合の端部３４は、複数の孔を有する。
【００３９】
図２は、閉じた状態の図１の拘束ハーネス１０を示す。患者の背中に配置されるストラップ中央部１２と、患者の上半身周りに案内され患者の背中でストラップ中央部１２に取り付けられる上体ストラップ１４とが、明確に示されている。上体ストラップ１４の２つの未結合の端部１６が上拘束部材２６の未結合の端部３４に、特に、図２に示される係止ボタン３６である磁気ロックにより、留められる。
【００４０】
股ストラップ１８が折りたたまれて患者の上半身の前側へ上方に案内され、リング２４が患者の腹部に位置する。
【００４１】
図２から明確なように、上拘束部材２６の未結合の端部３４は、下からリング２４を通して挿入され、そして患者の胸部へ引き戻される。襟ループ２８の方へ向くさらなるストラップ３２の一部において、図では隠れている溝を有する単一の孔が形成され、同様に隠れている磁気ロックの基部を保持する。溝と一緒のこの単一の孔および磁気ロックも襟ループ２８の比較的近くに位置する。上拘束部材２６の未結合の端部３４が、磁気ロックのピン上の１つの孔に配置される。当該未結合の端部の上に上体ストラップ１４の未結合の端部１６があり、各々１つの孔に同様に取り付けられる。全ての組み付けが係止ボタン３６により固定される。
【００４２】
図３は図１の拘束ハーネス１０を、拘束ベルト３８と組み合わせて、広げた状態で、再び示している。拘束ベルト３８は腰ストラップ４０を有する。腰ストラップ４０は複数の孔を備え、さらなる磁気ロック４２により患者の腰の周りに固定される。拘束ベルト３８はさらにベッドストラップ４４を備える。ベッドストラップ４４はマットレスの上に平坦に置かれて、複数の孔を同様に有する２つのベッドストラップ４６により、例えば、ベッドの手すりに固定される。腰ストラップ４０はベッドストラップ４４に取り付けられる。
【００４３】
腰ストラップ４０の両側面に、２つの横固定ストラップ５０が取り付けられる。横固定ストラップ５０は、患者が極端に寝返りをうつのを防止するために、ベッドフレームに同様に固定することができる。
【００４４】
腰ストラップ４０はさらに、患者の背中に配置される２つのループ５２を、当該ベルトの上端、すなわち、患者の頭に面するそれらの端部に、有する。上体ストラップ１４がこれらループ５２に挿入される。拘束ハーネス１０の中央部１２は、患者の背中の２つのループ５２の間および腰ストラップ４０の下側とベッドストラップ４４との間を延びる。
【００４５】
図４は、完全に閉じた状態での図３の組み付けを示す。上体ストラップ１４が、腰ストラップ４０より上で患者の上半身に固定されること明確である。また、下拘束部材としの股ストラップ１８が、腰ストラップ４０と完全に独立して、リング２４を介して上拘束部材２６に直接取り付けられていることも明確である。
【図１】
2014111125.tif 000003
【図２】
2014111125.tif 000004
【図３】
2014111125.tif 000005
【図４】
2014111125.tif 000006
【外国語明細書】
2014111125000001.pdf
2014111125000002.pdf
2014111125000003.pdf
2014111125000004.pdf